(57)【要約】【課題】プレイリストを用いた楽曲データの再生を、従来にない豊富なバリエーションで行えるようにする。【解決手段】楽曲データの識別情報とその楽曲データの再生態様を示す情報とからなる再生指示情報を複数個集めた再生指示リスト（プレイリスト）を、プレイリスト蓄積部２２に蓄積する。キー操作部５０を通じて受け付けた指示入力等に基づいて、制御部１０が使用する再生指示リストを選択し、この選択された再生指示リストに登録するようにされている楽曲データを、当該再生指示リストの再生態様を示す情報に従った態様で再生する。【選択図】図１
2007250057.tif 000002
【特許請求の範囲】
【請求項１】
楽曲データの供給を受けて、これを再生するようにする再生手段と、
再生すべき楽曲データの識別情報と、楽曲データの再生態様を示す情報とからなる再生指示リストを１以上記憶保持するリスト保持手段と、
前記リスト保持手段に記憶保持されている１以上の前記再生指示リストから、用いる再生指示リストを選択する選択手段と、
前記選択手段により選択された前記再生指示リストに従って、指示された楽曲データを、指示された再生態様で再生するように前記再生手段を制御する再生制御手段と
を備えることを特徴とする音響再生装置。
【請求項２】
請求項１に記載の音響再生装置であって、
前記再生指示リストを形成する各再生指示情報の楽曲データについての再生態様を示す情報は、繰り返し再生を行うか否かの指示と、所定時間だけ再生を行うか否かの指示と、先頭から所定時間だけ飛ばして途中から再生を行うか否かの指示との内の少なくとも１つ以上を含むことを特徴とする音響再生装置。
【請求項３】
請求項１に記載の音響再生装置であって、
楽曲データの識別情報の選択入力を受け付ける第１の受付手段と、
楽曲データの再生態様を示す情報を受け付ける第２の受付手段と、
前記第１、第２の受付手段を通じて受け付けた情報に基づいて形成される1つ以上の再生指示情報からなる再生指示リストを生成し、前記リスト保持手段に記録するリスト生成手段と
を備えることを特徴とする音響再生装置。
【請求項４】
再生すべき楽曲データの識別情報と、楽曲データの再生態様を示す情報とからなる再生指示リストを、１以上記録媒体に記憶保持するようにし、
記憶保持されている１以上の前記再生指示リストから、用いる再生指示リストを選択し、
選択した前記再生指示リストに従って、指示された楽曲データを、指示された再生態様で再生するように制御する
ことを特徴とする音響再生方法。
【請求項５】
請求項４に記載の音響再生方法であって、
前記再生指示リストを形成する各再生指示情報の楽曲データについての再生態様を示す情報は、繰り返し再生を行うか否かの指示と、所定時間だけ再生を行うか否かの指示と、先頭から所定時間だけ飛ばして途中から再生を行うか否かの指示との内の少なくとも１つ以上を含むことを特徴とする音響再生方法。
【請求項６】
請求項４に記載の音響再生方法であって、
楽曲データの識別情報の選択入力を受け付ける第１の受付工程と、
楽曲データの再生態様を示す情報を受け付ける第２の受付工程と、
前記第１、第２の受付工程を通じて受け付けた情報に基づいて形成される1つ以上の再生指示情報からなる再生指示リストを生成し、前記記録媒体に記録するリスト生成工程と
を有することを特徴とする音響再生方法。
【請求項７】
楽曲データを再生する音響再生装置に搭載されたコンピュータに実行させるプログラムであって、
再生すべき楽曲データの識別情報と、楽曲データの再生態様を示す情報とからなる再生指示リストを１つ以上記録媒体に記憶保持するようにするリスト保持ステップと、
記憶保持されている１以上の前記再生指示リストから、用いる再生指示リストを選択する選択工程と、
前記選択工程において選択した前記再生指示リストに従って、指示された楽曲データを、指示された再生態様で再生するように再生手段を制御する再生制御ステップと
を実行することを特徴とする音響再生プログラム。
【請求項８】
請求項７に記載の音響再生プログラムであって、
前記再生指示リストを形成する各再生指示情報の楽曲データについての再生態様を示す情報は、繰り返し再生を行うか否かの指示と、所定時間だけ再生を行うか否かの指示と、先頭から所定時間だけ飛ばして途中から再生を行うか否かの指示との内の少なくとも１つ以上を含むことを特徴とする音響再生プログラム。
【請求項９】
請求項７に記載の音響再生プログラムであって、
楽曲データの識別情報の選択入力を受け付ける第１の受付ステップと、
楽曲データの再生態様を示す情報を受け付ける第２の受付ステップと、
前記第１、第２の受付工程を通じて受け付けた情報に基づいて形成される1つ以上の再生指示情報からなる再生指示リストを生成するリスト生成ステップと
を実行し、
前記リスト保持ステップにおいては、前記リスト生成ステップにおいて生成した前記再生指示リストを前記記録媒体に記録することを特徴とする音響再生プログラム。
【発明の詳細な説明】
【技術分野】
【０００１】
この発明は、例えば、ハードディスクプレーヤ、ＭＤ（Mini Disc（登録商標））プレーヤ、ＣＤ（Compact Disc）プレーヤ、半導体メモリを用いたメモリプレーヤなどの楽曲データを再生する装置、方法、プログラムに関する。
【背景技術】
【０００２】
従来から種々の音楽再生機器（音響再生装置）やパーソナルコンピュータなどで用いられる音楽再生アプリケーションには、「プレイリスト」などと呼ばれる、楽曲の再生順序を指定する再生指示リストを複数設定できる機能がある。
【０００３】
従来の「プレイリスト」の主な機能としては、例えば、以下のようなものがある。  
（１）単純にプレイリストにおいて指示された順に楽曲の頭から再生し、終わったら次の楽曲を再生する。そして、最後の楽曲まで再生が完了したら再生を終了する。  
（２）１曲だけ繰り返して再生する。  
（３）単純にプレイリストにおいて指示された順に楽曲の頭から再生し、終わったら次の楽曲へ移る。最後の楽曲まで再生が完了したら、当該プレイリストの先頭に戻ってまた順番に再生を繰り返す。  
（４）プレイリストの楽曲をランダムに再生する（シャッフル再生）。  
などである。
【０００４】
また、特許文献１には、プレイリストに再生する楽曲の指示情報だけでなく、再生時の音量、サウンドエフェクト、情報の表示内容等のいわゆる再生環境データをも付加して記憶保持できるようにし、当該プレイリストを用いることにより、目的とする楽曲を、目的とする音量で、目的とするサウンドエフェクトをかけて、目的とする情報を表示するようにして再生できるようにする技術が開示されている。
【０００５】
この特許文献１に開示された技術を用いることにより、プレイリストには楽曲毎に再生環境データが付加されているので、目的とする楽曲を目的とする順番で再生することができると共に、再生される楽曲毎に、音量やサウンドエフェクトなどの再生環境についてもプレイリストの再生環境データに基づいて、使用者の手を煩わせることなく自動的に制御することができるようにされる。
【０００６】
なお、上記の特許文献１は、以下の通りである。
【特許文献１】特開２０００−３３１４２２号公報
【発明の開示】
【発明が解決しようとする課題】
【０００７】
ところで、「プレイリスト」の機能により、好みの楽曲を好みの順番で再生して聴取したり、好みの楽曲を繰り返して聴取したり、あるいは、好みの複数の楽曲をランダムな順番で再生して聴取たりすることは可能である。しかし、楽曲の再生順や再生回数を制御するだけでなく、楽曲によっては、所定の部分だけを聴取したい場合もあるし、一定時間の間に、所定のプレイリストに登録された全ての曲を、その一部分だけでも聴取できるようにしたいとする要求がある。
【０００８】
このように、プレイリストを用いて楽曲の再生を行う場合であっても、より豊富なバリエーションで楽曲データを再生できるようにすることが望まれており、プレイリストの活用の範囲を拡大させることが望まれている。
【０００９】
以上のことのかんがみ、この発明は、プレイリストを用いた楽曲データの再生を、従来にない豊富なバリエーションで行えるようにすることを目的とする。
【課題を解決するための手段】
【００１０】
上記課題を解決するため、請求項１に記載の発明の音響再生装置は、
楽曲データの供給を受けて、これを再生するようにする再生手段と、
再生すべき楽曲データの識別情報と、楽曲データの再生態様を示す情報とからなる再生指示リストを１以上記憶保持するリスト保持手段と、
前記リスト保持手段に記憶保持されている１以上の前記再生指示リストから、用いる再生指示リストを選択する選択手段と、
前記選択手段により選択された前記再生指示リストに従って、指示された楽曲データを、指示された再生態様で再生するように前記再生手段を制御する再生制御手段と
を備えることを特徴とする。
【００１１】
この請求項１に記載の発明の音響再生装置によれば、リスト保持手段には、楽曲データの識別情報と、楽曲データの再生態様を示す情報とからなる再生指示リスト（プレイリスト）が１つ以上記憶保持されている。そして、選択手段によって選択された再生指示リストが用いられて、当該再生指示リストに登録するようにされている楽曲データが、再生指示リストの再生態様を示す情報に従った態様で再生される。
【００１２】
これにより、再生指示リストを楽曲データの単なる再生順序の指示情報として用いるだけでなく、再生指示リストに登録するようにされた楽曲データの全部について、あるいは、再生対象の楽曲データ毎に、その再生態様も制御することができるので、再生指示リストによって再生が指示された楽曲データを目的とする再生態様で自動的に再生することができるようにされる。したがって、再生指示リストを用いた楽曲データの再生を豊富なバリエーションで行うことができるようにされる。
【００１３】
また、請求項２に記載の音響再生装置は、請求項１に記載の音響再生装置であって、
前記再生指示リストを形成する各再生指示情報の楽曲データについての再生態様を示す情報は、繰り返し再生を行うか否かの指示と、所定時間だけ再生を行うか否かの指示と、先頭から所定時間だけ飛ばして途中から再生を行うか否かの指示との内の少なくとも１つ以上を含むことを特徴とする。
【００１４】
この請求項２に記載の音響再生装置によれば、再生態様を示す情報は、（１）繰り返し再生、（２）所定時間だけ再生、（３）先頭から所定時間だけ飛ばして途中から再生の（１）〜（３）の内の１つ以上の指示を含むことができるようにされる。これにより、再生指示リストによって再生が指示される楽曲データについて、繰り返して再生したり、先頭から所定時間だけ再生したり、先頭から所定時間だけ飛ばした位置から最後まで再生したり、先頭から所定時間だけ飛ばした位置から所定時間分再生したりするなどといった種々の再生態様で再生することができるようにされる。
【００１５】
また、請求項３に記載の発明の音響再生装置は、請求項１に記載の音響再生装置であって、
楽曲データの識別情報の選択入力を受け付ける第１の受付手段と、
楽曲データの再生態様を示す情報を受け付ける第２の受付手段と、
前記第１、第２の受付手段を通じて受け付けた情報に基づいて形成される1つ以上の再生指示情報からなる再生指示リストを生成し、前記リスト保持手段に記録するリスト生成手段と
を備えることを特徴とする。
【００１６】
この請求項３に記載の発明の音響再生装置によれば、第１、第２の受付手段を通じて必要な情報の入力を受け付けて、リスト生成手段によって再生指示リストを生成することができるようにされる。これにより、当該音響再生装置において、再生指示リストを使用者からの指示に応じて生成し、これを用いて目的とする楽曲データを目的とする再生態様で再生することができるようにされる。
【発明の効果】
【００１７】
この発明によれば、再生指示リスト（プレイリスト）によって、再生する楽曲データと、楽曲データの再生態様（再生パターン）とを指定することができるようにされるので、種々の楽曲データを種々の再生態様で自動的に再生して聴取することができる。
【００１８】
また、再生指示リスト（プレイリスト）で指示するようにされる楽曲毎の再生態様を自由に設定、変更して、楽曲データの多用な再生を楽しむようにすることもできる。
【発明を実施するための最良の形態】
【００１９】
以下、図を参照しながら、この発明による装置、方法、プログラムの位置実施の形態について説明する。この発明は、携帯型や設置型の音響再生装置、車載用の音響再生装置など、種々の音響再生装置に適用可能なものであるが、以下においては説明を簡単にするため、例えば、携帯型の音響再生装置にこの発明を適用した場合を例にして説明する。
【００２０】
［音響再生装置の構成例について］
図１は、この発明による装置、方法、プログラムの一実施の形態が適用されたこの実施の形態の音響再生装置を説明するためのブロック図である。図１に示すように、この実施の形態の音響再生装置は、制御部１０に対して、楽曲データ蓄積部２１とプレイリスト蓄積部２２とが接続されると共に、画像データ処理部３１を介してＬＣＤ（Liquid Crystal Display）３２が接続され、楽曲データ再生部４１を介してスピーカ４２が接続されている。さらに、制御部１０には、キー操作部５０が接続されると共に、外部インターフェース（以下、外部Ｉ／Ｆという。）６１を介して入出力端子６２が接続されている。
【００２１】
制御部１０は、この実施の形態の音響再生装置の各部を制御するものであり、図１に示すように、ＣＰＵ（Central Processing Unit）１１、ＲＯＭ（Read Only Memory）１２、ＲＡＭ（Random Access Memory）１３、不揮発性メモリ１４がＣＰＵバス１５を介して接続されて、マイクロコンピュータの構成とされたものである。
【００２２】
ＣＰＵ１１は、各種のプログラムを実行し、各部に供給する制御信号を形成したり、各種の演算を行ったりするなど、制御部１０における処理や制御の主体となるものである。ＲＯＭ１２は、ＣＰＵ１１が実行する各種のプログラムや処理に必要になるデータを記憶保持する。
【００２３】
また、ＲＡＭ１３は、処理の途中結果を一時記憶するなど、主に作業領域として用いられる。不揮発性メモリ１４は、例えば、ＥＥＰＲＯＭ（Electrically Erasable and Programmable ROM）やフラッシュメモリなどの電源が落とされても記憶データが消滅することのないメモリであり、電源が落とされても保持しておくべきデータ、例えば設定されたパラメータや追加されたプログラムなどを記憶保持する。
【００２４】
楽曲データ蓄積部２１は、この実施の形態の音響再生装置において再生可能な楽曲データであって、例えば所定のデータ圧縮方式に従ってデータ圧縮されてものを多数記憶保持する。また、プレイリスト蓄積部２２は、詳しくは後述もするように、楽曲データの識別情報と各楽曲データの再生態様を示す情報とからなる再生指示情報が、１つ以上まとめられて形成されたプレイリスト（再生指示リスト）を多数記憶保持することができるものである。
【００２５】
楽曲データ蓄積部２１、プレイリスト蓄積部２２としては、ハードディスク、ＭＤ（ミニディスク（登録商標））などの光磁気ディスク、ＣＤやＤＶＤなどの光ディスク、メモリカード、半導体メモリなど、種々の記憶媒体を用いることが考えられる。しかし、ここでは、説明を簡単にするため、楽曲データ蓄積部２１、プレイリスト蓄積部２２は、ハードディスクであるものとして説明する。
【００２６】
画像データ処理部３１は、制御部１０から表示データの供給を受けて、この表示データからＬＣＤ３２に供給する映像信号を形成し、これをＬＣＤ３２に供給することによって、制御部１０からの表示データに応じた表示情報をＬＣＤ３２の表示画面に表示する。なお、この実施の形態の音響再生装置においては、表示素子としてＬＣＤを用いるようにしたが、これに限るものではなく、有機ＥＬ（Electro Luminescence）ディスプレイなどの他の表示素子を用いるようにしてもよい。
【００２７】
また、楽曲データ再生部４１は、制御部１０により楽曲データ蓄積部２１から読み出された楽曲データの供給を受けて、これを圧縮解凍処理してデータ圧縮前の元の楽曲データを復元すると共に、復元した楽曲データからスピーカ４２に供給する形式のアナログ音声信号を形成し、これをスピーカ４２に供給する。これにより、再生するようにされた楽曲データに応じた音声がスピーカ４２から放音される。
【００２８】
なお、図示しないが、この実施の形態の楽曲データ再生部４１には、ヘッドホン端子も接続するようにされており、当該ヘッドホン端子にヘッドホンが接続された場合には、楽曲データ再生部４１において処理された音声信号は、スピーカ４２にではなくヘッドホン端子を介して、これに接続されたヘッドホンに供給され、当該ヘッドホンを通じて再生音声を聴取することもできるようにしている。
【００２９】
また、きー操作部５０は、再生キー、停止キー、早送りキー、早戻しキー、その他、各種のファンクションキーなどを備え、ユーザーからの操作入力を受け付けて、これに応じた電気信号を制御部１０に供給することができるものである。これに応じて、制御部１０は各部を制御し、ユーザーの指示に応じた処理を行うことができるようにしている。
【００３０】
また、外部Ｉ／Ｆ６１、入出力端子６２を通じて、パーソナルコンピュータなどの外部機器に接続することができるようにしている。そして、入出力端子６２、外部Ｉ／Ｆ６１を通じて、外部機器から楽曲データやプレイリストの供給を受け、楽曲データについては楽曲データ蓄積部２１に格納し、プレイリストについては、プレイリスト蓄積部２２に格納することができるようにしている。
【００３１】
逆に、制御部１０の制御により、楽曲データ蓄積部２１に格納されている楽曲データを制御部１０、外部Ｉ／Ｆ６１、入出力端子６２を通じて外部機器に出力し、外部機器の記録媒体にバックアップを形成したり、同様にして、プレイリスト蓄積部２２に記憶保持されているプレイリストのバックアップを外部機器の記録媒体に作成したりすることもできるようにしている。
【００３２】
そして、この実施の形態の音響再生装置においては、楽曲データ蓄積部２１に蓄積されている楽曲データの中から目的とする楽曲データを選択して再生することができると共に、プレイリスト蓄積部２２に蓄積されている多数のプレイリストの中から選択したプレイリストを用いて、１曲以上の楽曲データを、予め決められた再生態様で、自動的に再生することができるようにしている。
【００３３】
例えば、楽曲データ蓄積部２１に蓄積されている目的とする楽曲データの再生は以下のようにして行われる。すなわち、キー操作部５０を通じて受け付けた使用者からの指示入力に応じて、制御部１０が楽曲データ蓄積部２１に蓄積されている楽曲データの一覧リストを、画像データ処理部３１を通じてＬＣＤ３２の表示画面に表示し、この表示された一覧リストの中から目的とする楽曲データを、キー操作部５０を通じて選択する。
【００３４】
このようにして選択された楽曲データが制御部１０により楽曲データ蓄積部２１から読み出されて、これが楽曲データ再生部４１に供給されることにより、これが再生処理され、選択された楽曲データに応じた音声がスピーカ４２から放音される。
【００３５】
また、プレイリスト蓄積部２２に蓄積されているプレイリストを用いて楽曲データを再生する場合には、例えば、キー操作部５０を通じて選択されたプレイリスト、あるいは、予め決められたプレイリストを、制御部１０が、プレイリスト蓄積部２２から読み出し、この読み出したプレイリストに従って、再生すべき楽曲データを楽曲データ蓄積部２１から読み出すと共に、そのプレイリストに含まれる情報であって、読み出された楽曲データに対する再生態様を示す情報に応じた態様で当該楽曲データを再生するように、楽曲データ再生部４１を制御する。このように、この実施の形態の音響再生装置は、１曲づつの再生も可能であるし、プレイリストを用いた、複数の楽曲データの一連の再生をも行うことができるものである。
【００３６】
また、この実施の形態の音響再生装置においては、制御部１０は、キー操作部５０を通じて、楽曲データの識別情報と、その再生データに対する再生態様を示す情報の入力を順次に受け付けて、この受け付けた情報に応じて制御部１０がプレイリストを生成して、これをプレイリスト蓄積部２２に追加記録することもできるようにしている。この場合、目的とする楽曲データの選択は、制御部１０の制御により、画像データ処理部３１を制御して、ＬＣＤの表示画面に楽曲データの一覧リストを表示し、これを用いることもできるようにしている。
【００３７】
すなわち、この実施の形態の制御部１０は、画像データ処理部３１及びＬＣＤ３２やキー操作部５０と協働することにより、プレイリスト生成部、プレイリスト選択部としての機能を実現することができるようにしている。
【００３８】
［プレイリストに関する機能の概要］
図２は、この実施の形態の音響再生装置におけるプレイリストに関する機能の概要を説明するための概念図である。図１を用いて上述したように、また、図２にも示すように、楽曲データ蓄積部２１には、この実施の形態の音響再生装置において再生可能な多数の楽曲データが蓄積されている。
【００３９】
そして、この実施の形態の音響再生装置において、プレイリスト生成部１０Ａとしての機能は、制御部１０が、画像データ処理部３１及びＬＣＤ３２やキー操作部５０と協働することにより実現する。より具体的には、制御部１０は、キー操作部５０を通じてプレイリストを作成することの指示入力を受け付けると、楽曲データ蓄積部２１に蓄積されている楽曲データに関する情報を参照して、再生可能な楽曲データの一覧リストを、画像データ処理部３１を介してＬＣＤ３２の表示画面に表示する。
【００４０】
ここで表示される楽曲データの一覧リストは、スクロール可能な態様で表示され、使用者は、キー操作部５０を通じてスクロールを指示し、目的とする楽曲データを見つけ出して選択することができるようにしている。このようにして選択された楽曲データの識別情報が、プレイリストを構成する再生指示情報の楽曲識別情報として用いられるようにされる。ここで楽曲データの識別情報は、その楽曲データが格納されているファイルのファイル名や楽曲データの識別番号（ＩＤ番号）等の楽曲データを特定できる情報である。
【００４１】
さらに、制御部１０は、上述したように選択され、楽曲識別情報が特定された楽曲データに対して、その楽曲データの再生態様を示す情報を、キー操作部５０を通じて使用者から受け付けることができるようにしている。ここで、楽曲データの再生態様を示す情報は、詳しくは後述もするが、楽曲データの再生制御情報として用いられるものであり、この実施の形態の音響再生装置においては制御フラグの態様で再生指示情報に付加される。
【００４２】
このようにして、楽曲データの選択と、選択した楽曲データに対する再生態様を示す情報（再生制御情報）の入力を繰り返すことによって、複数の再生制御情報からならプレイリストが生成され、これがプレイリスト蓄積部２２に蓄積される。なお、プレイリストは、必ず複数の再生制御情報を有しなければならないものではない。例えば、ただ１曲だけの楽曲データを繰り返し再生するようなプレイリストを形成することも可能である。
【００４３】
また、プレイリストは、この実施の形態の音響再生装置のプレイリスト生成機能を用いて生成するだけでなく、上述もしたように、入出力端子６２に接続された例えばパーソナルコンピュータなどの外部機器において作成されたものの提供を受けることもできるようにされる。外部機器からのプレイリストは、入出力端子６２、外部Ｉ／Ｆ６１を通じて制御部１０が受け付け、これを制御部１０がプレイリスト蓄積部２２に格納することもできるようにしている。
【００４４】
そして、プレイリスト蓄積部２２に蓄積されたプレイリストの中から目的とするプレイリストを選択し、これを用いて楽曲データの再生を行う場合において必要となるプレイリスト選択部１０Ｂとしての機能もまた、制御部１０が、画像データ処理部３１及びＬＣＤ３２やキー操作部５０と協働することにより実現する。
【００４５】
すなわち、制御部１０は、キー操作部５０を通じてプレイリストを選択することの指示入力を受け付けると、プレイリスト蓄積部２２に蓄積されているプレイリストを参照して、利用可能なプレイリストの一覧リストを、画像データ処理部３１を介してＬＣＤ３２の表示画面に表示する。
【００４６】
ここで表示されるプレイリストの一覧リストは、スクロール可能な態様で表示され、使用者は、キー操作部５０を通じてスクロールを指示し、目的とするプレイリストを選択することができるようにされる。このようにして選択されたプレイリストを用いて、制御部１０は、再生する楽曲データを楽曲データ蓄積部２１から読み出して楽曲データ再生部４１に供給することにより再生するようにし、さらに、制御部１０は、プレイリストの再生態様を示す情報（フラグ情報）に基づいて楽曲データ再生部４１を制御し、再生態様を示す情報に応じた態様で楽曲データを再生し、スピーカ４２等から再生音声を放音することができるようにしている。
【００４７】
［プレイリストの構成例について］
次に、この実施の形態の音響再生装置において用いられるプレイリストの構成例について説明する。図３は、この実施の形態の音響再生装置において用いられるプレイリストの構成例について説明するための図である。
【００４８】
図３Ａに示すように、１つ以上の再生指示情報からなるものである。プレイリストを構成する再生指示情報は、図３Ｂに示すように、シーケンス番号（シーケンスＮｏ．）Ｐ１と、楽曲識別情報Ｐ２と、再生制御情報Ｐ３とからなっている。シーケンス番号Ｐ１は、登録順に付与される番号であり、再生順番にも対応するものである。楽曲識別情報Ｐ２は、上述もしたように、楽曲データを特定することが可能なその楽曲データの格納先を示すファイル名や楽曲データのＩＤ番号等の情報である。
【００４９】
この実施の形態の音響再生装置において、再生制御情報Ｐ３は、３つの制御フラグ情報３ａ、３ｂ、３ｃとして構成されている。そして、図３Ｂにも示したように、再生制御情報３ａは、繰り返し再生のオン／オフのフラグであり、再生制御情報３ｂは、一定時間だけ再生のオン／オフのフラグである。また、再生制御情報３ｃは、頭から一定時間だけ飛ばして途中から再生のオン／オフのフラグである。
【００５０】
そして、図３Ａに示した構造例のプレイリストは、「ＡＡＡ」→「ＢＢＢ」→「ＣＣＣ」→「ＤＤＤ」…の順番で楽曲データを再生することを指示する。さらに、図３Ａに示した構造例のプレイリストは、楽曲データ「ＡＡＡ」については、再生制御情報３ａだけがオンにされて、繰り返し再生を行うことを指示する。また、楽曲データ「ＢＢＢ」については、再生制御情報３ｂだけがオンにされており、楽曲データ「ＢＢＢ」の先頭から一定時間だけ再生することを指示する。
【００５１】
また、楽曲データ「ＣＣＣ」については、再生指示情報３ｃだけがオンにされており、楽曲データ「ＣＣＣ」の先頭から一定時間だけ飛ばして途中から再生することを指示する。また、楽曲データ「ＤＤＤ」については、再生指示情報３ｂ、３ｃが共にオンにされており、楽曲データ「ＤＤＤ」については、先頭から一定時間飛ばした後に、途中から一定時間だけ再生することを指示する。
【００５２】
すなわち、図３Ａに示したプレイリストにおいては、楽曲データ「ＡＡＡ」は繰り返し再生、楽曲データ「ＢＢＢ」は楽曲の前部分だけ再生、楽曲データ「ＣＣＣ」は楽曲の後ろ部分だけ再生、楽曲データ「ＤＤＤ」は楽曲の中間部分だけ再生を行うことが指示されている。このように、楽曲データ毎に再生態様を設定することができるようにしている。
【００５３】
そして、この実施の形態の音響再生装置においては、再生制御情報３ｂ、３ｃにおける一定時間は、すなわち、楽曲データを再生する一定時間や再生時間で換算して楽曲データを先頭から読み飛ばす一定時間は予め決められているものである。例えば、楽曲データを再生する一定時間は「１分間」、楽曲データを再生時間で換算して先頭から読み飛ばす一定時間は「１分３０秒間」などのように予め決められている。これにより、再生制御情報の各フラグ情報３ａ、３ｂ、３ｃについて、オン／オフの設定を行うだけで、楽曲データの再生態様を設定することができるようにされる。
【００５４】
このように、この実施の形態の音響再生装置においては、楽曲識別情報と再生制御情報とからなる再生指示情報を１つ以上有するプレイリストを用いて、目的とする楽曲データを目的とする順番で、かつ、目的とする再生態様で再生することができるようにしている。
【００５５】
［音響再生装置の処理について］
次に、この実施の形態の音響再生装置において行われるプレイリスト生成・登録処理、プレイリストに基づく楽曲の再生処理について、図４〜図６のフローチャートを用いて具体的に説明する。
【００５６】
［プレイリスト生成・登録処理について］
まず、プレイリスト生成・登録処理について説明する。図４は、この実施の形態の音響再生装置において行われるプレイリスト生成・登録処理を説明するためのフローチャートである。この図４に示すプレイリスト生成・登録処理は、キー操作部５０を通じてプレイリストの生成処理を行うことが指示された場合に、主に制御部１０において実行される処理である。
【００５７】
そして、キー操作部５０を通じてプレイリストの生成処理を行うことが指示されると、制御部１０は、図４に示す処理を実行し、楽曲データ蓄積部２１の情報に基づいて、再生可能な楽曲データの一覧リストを、画像データ処理部３１を通じてＬＣＤ３２の表示画面に表示する（ステップＳ１０１）。
【００５８】
次に、制御部１０は、キー操作部５０を通じて楽曲データの選択入力を受け付ける（ステップＳ１０２）。ここで選択された楽曲データの識別情報が制御部１０により特定され、これがＲＡＭ１３に一時記憶される。そして、制御部１０は、選択された楽曲データに対する再生制御情報（再生制御フラグ）の設定入力を受け付ける（ステップＳ１０３）。このステップＳ１０３で入力された再生制御情報もまた、ステップＳ１０２において選択された楽曲データについての特定された楽曲識別情報に関連付けるようにして、ＲＡＭ１３に一時記憶される。このようにして、プレイリストを構成する再生指示情報が順次に入力するようにされる。
【００５９】
そして、制御部１０は、キー操作部５０を通じて終了確認入力を受け付け（ステップＳ１０４）、受け付けた終了確認入力が終了を指示するものであるか否かを判断する（ステップＳ１０５）。ステップＳ１０５の判断処理において、受け付けた終了確認入力が終了を指示するものではないと判断したときには、ステップＳ１０２からの処理を繰り返し、楽曲データの選択と再生制御情報の設定とを繰り返し行うことができるようにされる。
【００６０】
なお、図４のフローチャートには示さないが、ステップＳ１０２の処理において、例えば、バックスキップキーに相当するキーを操作することにより、その直前に入力した再生指示情報にカーソルを位置付け、指示内容の修正や削除を行うこともできるようにしている。
【００６１】
また、ステップＳ１０５の判断処理において、受け付けた確認入力が終了を指示するものであると判断したときには、制御部１０は、キー操作部５０を通じてこれまでに入力した再生指示情報に基づいて、プレイリストを生成して登録するか否かの確認入力を受け付けるようにする（ステップＳ１０６）。
【００６２】
そして、制御部１０は、ステップＳ１０６で受け付けた確認入力が、登録を指示するものであるか否かを判断する（ステップＳ１０７）。ステップＳ１０７の判断処理において、プレイリストの登録を指示する確認入力がなされたと判断したときには、制御部１０は、上述もしたように、ＲＡＭ１３に一時記憶されている楽曲識別情報と再生制御情報とを有する再生指示情報からなるプレイリストを生成し、これをプレイリスト蓄積部２２に登録（記録）して（ステップＳ１０８）、この図４に示すプレイリスト生成・登録処理を終了する。
【００６３】
また、ステップＳ１０７の判断処理において、プレイリストの登録を指示する確認入力がなされたと判断したときには、制御部１０は、プレイリストの生成・登録は行わず、この図４に示す処理を終了する。
【００６４】
このようにして、この実施の形態の音響再生装置は、キー操作部５０を通じて受け付けた情報に基づいて、再生制御情報を生成し、この再生制御情報を用いてプレイリストを生成し、プレイリスト蓄積部２２に登録することができるようにしている。
【００６５】
また、上述もしたように、図３を用いて説明した構成のプレイリストをパーソナルコンピュータなどの外部機器において作成したプレイリストをプレイリスト蓄積部２２に格納してこれを用いるようにすることももちろんできる。
【００６６】
なお、図４に示したプレイリスト生成・登録処理は、プレイリスト生成・登録処理の基本的な一例であり、他の種々の方式を用いて、プレイリストを生成し、登録するように構成することももちろん可能である。要は、目的とする楽曲データを特定し、それに対して再生制御情報を指定していき、プレイリストを生成、登録するようにすればよい。
【００６７】
［プレイリストに基づく楽曲の再生処理について］
次に、プレイリスト蓄積部２２に蓄積されているプレイリストを用いて楽曲を再生する場合の処理について説明する。図５は、この実施の形態の音響再生装置において行われるプレイリストを用いて楽曲データを再生する場合の処理について説明するためのフローチャートであり、図６は、図５に示した処理のステップＳ２０７において実行される楽曲再生処理ルーチンを説明するためのフローチャートである。
【００６８】
図５に示す処理は、例えば、使用者によって用いるプレイリストが選択された後、あるいは、予め用いるプレイリストが決められており、プレイリストを用いた楽曲データの再生が指示された後において、主に制御部１０が実行する。まず、制御部１０は、使用するように選択されたプレイリストを、あるいは、決められたプレイリストを、プレイリスト蓄積部２２から読み出して、当該プレイリストの先頭の再生指示情報に参照位置を位置付け（ステップＳ２０１）、その再生指示情報の要素を調べる（ステップＳ２０２）。
【００６９】
ステップＳ２０２の処理は、図３を用いて説明した構成を有する再生指示情報の楽曲識別情報Ｐ２と再生制御情報３ａ、３ｂ、３ｃの各要素を特定する処理である。そして、制御部１０は、ステップＳ２０２において調べた再生指示情報の要素に基づいて、まず、再生制情報（再生制御フラグ）３ｂがオンになっているか否かを判断する（ステップＳ２０３）。
【００７０】
再生制御フラグ３ｂは、図３を用いて説明したように、一定時間だけ再生のオン／オフのフラグであり、ステップＳ２０３の判断処理において、再生制御フラグ３ｂがオンになっていると判断したときには、楽曲データの再生時間を設定する処理を行う（ステップＳ２０４）。
【００７１】
上述もしたように、この実施の形態の音響再生装置においては、再生制御フラグ３ｂに応じて制御する、楽曲データを再生する一定時間は予め決められており、ステップＳ２０４においては、当該再生指示情報の楽曲識別情報Ｐ２によって特定される楽曲データを、再生時間にしてどれだけ再生するかを設定する。ここで設定された再生時間は、例えば、ＲＡＭ１３などのメモリに一時記憶される。
【００７２】
ステップＳ２０３の判断処理において、再生制御フラグ３ｂがオンではないと判断した場合、あるいは、ステップＳ２０４の処理により、楽曲データの再生時間を設定した後において、制御部１０は、ステップＳ２０２において調べた再生指示情報の要素に基づいて、再生制御情報（再生制御フラグ）３ｃがオンになっているか否かを判断する（ステップＳ２０５）。
【００７３】
再生制御フラグ３ｃは、図３を用いて説明したように、頭から一定時間だけ飛ばして途中から再生のオン／オフのフラグであり、ステップＳ２０５の判断処理において、再生制御フラグ３ｃがオンになっていると判断したときには、楽曲データの読み飛ばし量を特定し、これに基づいて楽曲データの再生開始位置を設定する処理を行う（ステップＳ２０６）。
【００７４】
上述もしたように、この実施の形態の音響再生装置においては、再生制御フラグ３ｃに応じて制御する、楽曲データを先頭から読み飛ばす一定時間（再生時間で換算）は予め決められており、ステップＳ２０６においては、当該再生指示情報の楽曲識別情報によって特定される楽曲データについて、その先頭から再生時間にしてどれだけ読み飛ばし、当該楽曲データの何処の位置から再生を開始するかを設定する。ここで設定された再生開始位置もまた、ＲＡＭ１３などに一時記憶される。
【００７５】
ステップＳ２０５の判断処理において、再生制御フラグ３ｃがオンではないと判断した場合、あるいは、ステップＳ２０５の処理により、楽曲データの再生開始位置を設定した後において、制御部１０は、後述する図６に示す楽曲再生処理ルーチンを実行して、参照するように位置付けられた再生指示情報の楽曲識別情報によって特定される楽曲データを、再生制御情報（再生制御フラグ）３ａ、３ｂ、３ｃに応じた再生態様で再生する処理を実行する（ステップＳ２０７）。
【００７６】
この後、制御部１０は、使用するようにしているプレイリストによって再生が指示された全ての楽曲データを再生したか否かを判断する（ステップＳ２０８）。ステップＳ２０８の判断処理において、使用しているプレイリストで指示される全ての楽曲データの再生を終了していないと判断したときには、制御部１０は、当該プレイリストの次の再生指示情報に参照位置を位置付けて（ステップＳ２０９）、ステップＳ２０２からの処理を繰り返すようにする。
【００７７】
また、ステップＳ２０８の判断処理において、使用しているプレイリストで指示される全ての楽曲データの再生を終了したと判断したときには、制御部１０は、この図５に示す処理を終了する。
【００７８】
次に、図５に示した処理のステップＳ２０７において実行される楽曲再生処理について説明する。すなわち、図５に示した処理のステップＳ２０７において、この実施の形態の音響再生装置の制御部１０は、図６に示す処理を実行する。そして、まず、制御部１０は、図５に示した処理のステップＳ２０６の処理により、楽曲の再生開始位置が設定されているか否かを判断する（ステップＳ３０１）。
【００７９】
ステップＳ３０１の判断処理において、楽曲の再生開始位置は設定されていないと判断したときには、再生対象の楽曲データについて、その先頭から再生を開始するようにする（ステップＳ３０２）。また、ステップＳ３０１の判断処理において、楽曲の再生開始位置が設定されていると判断したときには、再生対象の楽曲データについて、設定されている再生開始位置から再生を開始するようにする（ステップＳ３０３）。
【００８０】
そして、再生対象の楽曲データを楽曲データ蓄積部２１から順次に読み出して、楽曲データ再生部４１に供給して再生する処理を行う（ステップＳ３０４）。次に、制御部１０は、図５に示した処理のステップＳ２０４の処理により、楽曲の再生時間が設定されているか否かを判断する（ステップＳ３０５）。
【００８１】
ステップＳ３０５の判断処理において、楽曲の再生時間は設定されていないと判断したときには、再生対象の楽曲を最後まで再生し終えたか否かを判断する（ステップＳ３０６）。ステップＳ３０６の判断処理において、再生対象の楽曲を最後まで再生し終えていないと判断したときには、ステップＳ３０４からの処理を繰り返し、再生対象の楽曲の再生を続行する。
【００８２】
また、ステップＳ３０５の判断処理において、楽曲の再生時間が設定されていると判断したときには、再生対象の楽曲を設定された再生時間まで再生し終えたか否かを判断する（ステップＳ３０７）。ステップＳ３０７の判断処理において、設定された再生時間まで再生し終えていないと判断したときには、ステップＳ３０４からの処理を繰り返し、再生対象の楽曲の再生を続行する。
【００８３】
そして、制御部１０は、ステップＳ３０６の判断処理において、再生対象の楽曲を最後まで再生し終えたと判断したとき、または、ステップＳ３０７の判断処理において、設定された再生時間まで再生し終えたと判断したときには、参照位置が位置付けられている再生指示情報の再生制御情報（再生制御フラグ）３ａがオンになっているか否かを判断する（ステップＳ３０８）。
【００８４】
図３を用いて説明したように、再生制御フラグ３ａは、繰り返し再生のオン／オフのフラグであり、ステップＳ３０８の判断処理において、再生制御フラグ３ａがオンでないと判断したときには、この図６に示す処理を抜けて、図５に示したステップＳ２０７の処理に戻り、その直後の処理（ステップＳ２０８の処理）を行うことになる。
【００８５】
また、ステップＳ３０８の判断処理において、再生制御フラグ３ａがオンになっていると判断したときには、繰り返し済みか否かを判断する（ステップＳ３０９）。この３０９の判断処理は、例えば、ＲＡＭ１３に形成する一時フラグとしての繰り返しフラグのオン／オフを確認することにより判別することができる。
【００８６】
ステップＳ３０９の判断処理において、繰り返し済みである（繰り返しフラグがオンである）と判断したときには、繰り返しフラグをオフにし（ステップＳ３１０）、この図６に示す処理を抜けて、図５に示したステップＳ２０７の処理に戻り、その直後の処理（ステップＳ２０８の処理）を行うことになる。
【００８７】
また、ステップＳ３０９の判断処理において、繰り返し済みではないと判断したときには、繰り返しフラグをオンにして（ステップＳ３１１）、ステップＳ３０１からの処理を繰り返し、再生し終えた今回の再生対象の楽曲データの再度の再生（繰り返しての再生）を行うようにする。
【００８８】
このように、この実施の形態の音響再生装置においては、目的とする楽曲データを特定する楽曲識別情報と再生態様を指示する情報とからなる再生指示情報が集められたプレイリストを用いることによって、目的とする楽曲データを、目的とする再生態様で再生することができる。
【００８９】
なお、上述した実施の形態においては、再生制御フラグ３ｂがオンである場合の楽曲データを再生する一定時間や、再生制御情報３ｃがオンである場合の楽曲データを先頭から読み飛ばす一定時間（再生時間で換算）は予め決められているものとして説明した。この一定時間は、再生時間と読み飛ばし時間とで異ならせるようにすることもできる。また、これらの一定時間については、初めはデフォルトの値を設定しておき、使用者の指示入力に応じて変更することも可能である。
【００９０】
また、再生制御フラグ３ｂがオンである場合の楽曲データを再生する一定時間や、再生制御情報３ｃがオンである場合の楽曲データを先頭から読み飛ばす一定時間については、例えば、１０秒単位、２０秒単位、３０秒単位などのように、予め決められた単位毎にランダムに設定するようにすることも可能である。
【００９１】
また、上述した実施の形態においては、プレイリストに登録する各楽曲データ毎に再生態様を示す再生制御情報（再生制御フラグ）を設定できるようにしたが、これに限るものではない。例えば、プレイリストに登録された全曲について、先頭から一定時間分ずつ再生する場合には、各楽曲毎に再生制御情報（再生制御フラグ）を設定する必要はなく、そのプレイリストの全体についての再生制御情報（再生制御フラグ）を設定しておくようにすることも可能である。
【００９２】
この場合には、プレイリスト毎に１つの再生指示情報（再生制御フラグ群）を対応付けるようにしておけばよいので、例えば、各プレイリストにヘッダ部分を設け、この部分に再生指示情報を付加するようにしたり、プレイリストの識別情報に関連付けた再生指示情報をプレイリストとは別のファイルに持つようにしたりすることによって対応できる。
【００９３】
このようにしておくことにより、例えば、プレイリストに登録された１５曲全曲を先頭から一定時間づつ再生し、１５分間でその全部を再生し終えるようにしたいという場合には、当該プレイリストに登録された１５曲の楽曲について、先頭から１分間づつ再生するように設定するなどのことが可能となる。この場合、単に、総再生時間を指示すれば、目的とするプレイリストに登録された楽曲数に応じて、楽曲毎の再生時間を自動的に算出し、自動的に設定することが可能である。
【００９４】
［プレイリストの他の構成例について］
上述した実施の形態の音響再生装置において、再生態様を示す情報（再生制御情報）は、３種類のフラグ情報３ａ、３ｂ、３ｃであるものとして説明した。しかし、これに限るものではない。上述した実施の形態の音響再生装置の場合のように、再生制御情報としてフラグ情報を用いるようにした場合には、フラグのオン／オフしか設定しないので、設定処理自体は簡単に行うことができるものの、再生時間か読み飛ばしの期間は予め決められる一定時間になさざるを得ない。
【００９５】
しかし、楽曲毎に再生する部分をより細かく指定できるようにしたいとする要求もある。例えば、楽曲Ａについては、間奏だけを、楽曲Ｂについては、先頭から数十間だけを、楽曲Ｃについては、エンディング部分だけを再生するようにしたいなどという場合もある。このような場合にも対応できるようにするために、プレイリストを構成する再生指示情報を図３に示したものとは異なるものとすることも可能である。
【００９６】
図７は、プレイリストを構成する再生指示情報の他の構成例を説明するための図である。例えば、プレイリストの再生指示情報を、図７Ａに示すように構成することも可能である。図７Ａの場合には、シーケンス番号Ｐ１、楽曲識別情報Ｐ２は、図３を用いて説明したプレイリストの再生指示情報と同様に持つことになる。しかし、図７Ａの場合には、再生制御情報Ｐ３として、繰り返し回数Ｐ３１、再生時間Ｐ３２、再生開始位置Ｐ３３を有する構成とされたものである。
【００９７】
繰り返し回数Ｐ３１は、その楽曲データの繰り返し回数を指示するものであり、０回（繰り返し無し）、１回（繰り返し１回）、２回（繰り返し２回）などのように、再生の繰り返しを行う数を指定する。再生時間Ｐ３２は、その楽曲データの再生時間を指示するものであり、６０秒間（１分間）、９０秒間（１分３０秒間）などのように、例えば秒単位に指示する。また、再生開始位置Ｐ３３は、その楽曲データの再生を開始する位置を指示するものであり、例えば、先頭からの再生時間（秒単位）で指示することができるようにされる。例えば、先頭から再生する場合には、再生開始位置Ｐ３３は、例えば、「０００秒」であり、先頭から９０秒後の位置が再生開始位置である場合には、「０９０秒」となる。
【００９８】
このように、繰り返し回数Ｐ３１、再生時間Ｐ３２、再生開始位置Ｐ３３を再生制御情報として用いる場合には、再生する楽曲データ毎に、再生回数、再生開始位置、再生時間を細かく指示し、再生する楽曲データ毎に聴きたい部分だけを自動的に再生して聴取できるようにすることができる。
【００９９】
また、プレイリストを構成する再生指示情報の他の構成例としては、図７Ｂに示すように構成することも可能である。図７Ｂの場合においても、シーケンス番号Ｐ１、楽曲識別情報Ｐ２は、図３を用いて説明したプレイリストの再生指示情報と同様に持つことになる。そして、図７Ｂの場合には、再生制御情報Ｐ３として、繰り返し回数Ｐ３１、再生開始位置Ｐ３２Ｓ、再生終了位置Ｐ３２Ｅを有する構成とされたものである。
【０１００】
図７Ｂに示す再生指示情報の繰り返し回数Ｐ３１は、図７Ａに示した繰り返し回数Ｐ３１と同様に、その楽曲データの繰り返し回数を指示するものである。そして、この図７Ｂに示した構成の再生指示情報の場合には、生成する部分をその開始位置と終了位置とで特定することができるようにしている。
【０１０１】
例えば、先頭から６０秒間再生したい場合には、再生開始位置Ｐ３２Ｓには、「０００秒」と設定され、再生終了位置Ｐ３２Ｅには、「０６０秒」と設定される。また、先頭から６５秒経過した位置から３０秒間の部分を再生したい場合には、再生開始位置には、「０６５秒」と設定され、再生終了位置Ｐ３２Ｅには、「０９５秒」と設定される。
【０１０２】
このように、図７Ｂに示した構成の再生指示情報からなるプレイリストを用いることによっても、再生する楽曲データ毎に、再生回数、再生開始位置、再生終了位置を細かく指示し、再生する楽曲データ毎に聴きたい部分だけを自動的に再生して聴取できるようにすることができる。
【０１０３】
なお、上述した実施の形態の音響再生装置は、例えば携帯型のものとして説明したが、これに限るものではない。設置型のものにも、また、車載用のものにも適用可能である。また、楽曲データのみを再生する場合に限るものではなく、楽曲と映像とが同期を取って再生するようにされるＡＶデータを再生する場合にもこの発明を適用することができる。
【０１０４】
また、図４、図５、図６に示したフローチャートは、この発明の方法が適用されたものである。そして、図４、図５、図６に示したフローチャートに応じたプログラムを作成することにより、この発明によるプログラムを実現できる。そして、このようにして形成したプログラムを、音響再生機能を備えた電子機器に搭載することによって、この発明による音響再生装置を実現することも可能である。
【０１０５】
また、上述した実施の形態においては、楽曲データは、音響再生装置が備える楽曲データ蓄積部に蓄積されているものとして説明したが、これに限るものではない。例えば、インターネットなどのネットワークへの接続機能を搭載することによって、再生する楽曲データをネットワーク上の楽曲サーバからダウンロードしてきて再生したり、順次に提供を受けて、いわゆるストリーミング再生を行うように構成したりすることも可能である。
【図面の簡単な説明】
【０１０６】
【図１】この発明による装置、方法、プログラムの一実施の形態が適用された音響再生装置を説明するためのブロック図である。
【図２】図１に示した音響再生装置におけるプレイリストに関する機能の概要を説明するための概念図である。
【図３】図１に示した音響再生装置において用いられるプレイリストの構成例について説明するための図である。
【図４】図１に示した音響再生装置において行われるプレイリスト生成・登録処理を説明するためのフローチャートである。
【図５】図１に示した音響再生装置において行われるプレイリストを用いて楽曲データを再生する場合の処理について説明するためのフローチャートである。
【図６】図１に示した音響再生装置において行われる楽曲再生処理を説明するためのフローチャートである。
【図７】プレイリストを構成する再生指示情報の他の構成例を説明するための図である。
【符号の説明】
【０１０７】
１０…制御部、１１…ＣＰＵ、１２…ＲＯＭ、１３…ＲＡＭ、１４…不揮発性メモリ、１５…ＣＰＵバス、２１…楽曲データ蓄積部、２２…プレイリスト蓄積部、３１…画像データ処理部、３２…ＬＣＤ、４１…楽曲データ再生部、４２…スピーカ、５０…キー操作部、６１…外部Ｉ／Ｆ、６２…入出力端子５２
【図１】
2007250057.tif 000003
【図２】
2007250057.tif 000004
【図３】
2007250057.tif 000005
【図４】
2007250057.tif 000006
【図５】
2007250057.tif 000007
【図６】
2007250057.tif 000008
【図７】
2007250057.tif 000009